【手続補正書】
【提出日】平成17年11月4日(2005.11.4)
【手続補正１】
【補正対象書類名】特許請求の範囲
【補正対象項目名】全文
【補正方法】変更
【補正の内容】
【特許請求の範囲】
【請求項１】
少なくとも１種のオキソノール染料と、少なくとも１種の以下の式
【化１】
2005509694.tif 000001
（式中、
Ｍｅは、第７、８、９、１０、１１又は１２亜族、好ましくは第９、１０又は１１亜族の遷移金属であり、Ｄ1及びＤ2は、互いに独立して、非置換であってもよいし、１個以上の基Ｒ5及びＲ6によって置換されていてもよい炭素環式又は複素環式環又は環系であり、
基Ｒ5及びＲ6は、ハロゲン原子、たとえばフッ素、塩素もしくは臭素、アミノ基、アルキルアミノ基、ジアルキルアミノ基、ニトロ基、シアノ基、ヒドロキシ基、非置換であるか置換されているアルキル基、非置換であるか置換されているヒドロキシアルキル基、非置換であるか置換されているアルコキシ基、−Ｏ−又は−Ｓ−によって１回以上中断されており、非置換であってもよいし置換されていてもよいアルキル基、アシル基、フェニル基、エステル基、たとえばホスホン酸、リン酸もしくはカルボン酸エステル基、カルボキサミド基、スルファミド基、アンモニウム基、カルボン酸、スルホン酸、ホスホン酸もしくはリン酸基又はそれらの塩であり、
Ｒ1及びＲ4は、互いに独立して、水素原子又は非置換であるか置換されているアルキル基、アリール基もしくはアラルキル基であり、
Ｒ2、Ｒ2′、Ｒ3及びＲ3′は、互いに独立して、水素原子、シアノ基、非置換であるか置換されているアルキル基、アルコキシ基、アリール基もしくはアラルキル基、エステル基、カルボキサミド基、スルファミド基、トリアルキルアンモニウム基、カルボン酸、スルホン酸、ホスホン酸もしくはリン酸基又はそれらの塩であるか、
Ｒ2とＲ3とがいっしょになって又はＲ2′とＲ3′とがいっしょになって、二重結合、シクロアルキル環又は複素環式環を形成するか、
Ｒ2、Ｒ2′、Ｒ3及びＲ3′がいっしょになって、芳香族炭素環式又は複素環式環を形成し、
Ｒ2とＲ3とがいっしょになって及び／又はＲ2′とＲ3′とがいっしょになって、各対が互いに独立して、カルボニル基又はチオカルボニル基を形成し、
Ｒ7、Ｒ7′、Ｒ8及びＲ8′は、互いに独立して、水素原子又は非置換であるか置換されているアルキル基、アリール基もしくはアラルキル基であるか、
Ｒ7とＲ7′とがいっしょになって及び／又はＲ8とＲ8′とがいっしょになって、各対が互いに独立して、カルボニル基又はチオカルボニル基を形成する）
の金属錯体とを含む組成物。
【請求項２】
前記オキソノール染料が、式
【化２】
2005509694.tif 000002
（式中、Ａ1、Ａ2、Ｂ1及びＢ2は、いずれの場合でも置換基であり、Ｙ1及びＺ1は、いずれの場合でも、炭素環式又は複素環式環の形成に必要な原子の群であり、Ｅ及びＧは、いずれの場合でも、共役二重結合を有する鎖の形成に必要な原子の群であり、Ｘ1は、＝Ｏ、＝ＮＲ9又は＝Ｃ（ＣＮ）2であり、Ｒ9は、置換基であり、Ｘ2は、−Ｏ、−ＮＲ9又は−Ｃ（ＣＮ）2であり、Ｒ9は、置換基であり、Ｌは、置換されていてもよいメチン基又はポリメチン基を完成させる基であり、３、５又は７個のメチン基が接続されて、共役二重結合を有する、置換されていてもよい鎖を形成することが可能であり、Ｍk+は、有機又は無機カチオンであり、式（Ｉ−１）又は（Ｉ−２）の金属錯体が、１個以上の正電荷を有するならば、カチオンであることが可能であり、ｘ及びｙは、０又は１であり、ｋは、１〜１０の整数である）
の染料である、請求項１記載の組成物。
【請求項３】
Ｍk+がアンモニウムカチオン又はカチオン染料である、請求項１又は請求項２記載の組成物。
【請求項４】
前記カチオン染料が、５５０〜６２０nmの範囲及び／又は４５０nm未満で吸収極大を示す、請求項３記載の組成物。
【請求項５】
前記オキソノール染料が、以下の一般式
【化３】
2005509694.tif 000003
（式中、Ｍk+は、アンモニウムカチオンであり、ｋは、１〜４の整数、特に１又は２であり、
Ｒa、Ｒb、Ｒa′及びＲb′は、互いに独立して、水素原子、Ｃ1-8アルキル基、特にＣ1-4アルキル基、ヒドロキシ−Ｃ1-8アルキル基、Ｃ1-8アルケニル基、たとえば−ＣＨ2−ＣＨ＝ＣＨ2、非置換であるか、Ｃ1-4アルキル又はＣ1-4アルコキシで置換されているＣ6-12アリール、たとえばフェニル又はＣ7-12アラルキル基、たとえばベンジルであり、
Ｒ41及びＲ41′は、互いに独立して、水素原子、Ｃ1-4アルキル基、たとえばメチルもしくはエチル又はぺルフルオロ−Ｃ1-4アルキル基、たとえばトリフルオロメチル、ヒドロキシ−Ｃ1-4アルキル基又は−Ｏ−によって１回以上中断されているＣ1-8アルキル基、たとえばＣＨ2ＣＨ2ＣＨ2−Ｏ−ＣＨ（ＣＨ3）2、Ｃ6-10アリール基、たとえばフェニル又はＣ7-12アラルキル基、たとえばベンジルであり、
Ｒ42及びＲ42′は、互いに独立して、水素原子、シアノ又はカルボキサミド基であり、
Ｒ43及びＲ43′は、互いに独立して、水素原子、カルボン酸基もしくはそれらの塩又はＣ1-4アルキル基であり、
Ｒ44及びＲ44′は、互いに独立して、水素原子、Ｃ1-4アルキル基、Ｃ6-12アリール又はＣ7-12アラルキル基であるか、
Ｒ44とＲ44′とがいっしょになって、五員環又は六員環、たとえばシクロヘキセニル又はシクロペンテニル環を形成し、
Ｒ45は、水素原子、ハロゲン原子、特に塩素原子、非置換であるか、Ｃ1-4アルキル又はＣ1-4アルコキシで置換されているＣ6-12アリール基、たとえばフェニルもしくはｐ−メチルフェニル又はＣ7-12アラルキル基、たとえばベンジルである）
で示される、請求項１〜３のいずれか１項記載の組成物。
【請求項６】
Ｍk+が、以下のカチオン、すなわち
【化４】
2005509694.tif 000004
（式中、Ｒ10、Ｒ10′及びＲ10″は、互いに独立して、水素原子、非置換であるか、たとえば１〜３個のＣ1-4アルキル基によって置換されているＣ3-24シクロアルキル基、たとえばシクロヘキシルもしくは３，３，５−トリメチルシクロヘキシル又はロジンアミンＤであるか、直鎖状又は分岐鎖状のＣ1-24アルキル基であり、Ｒ11、Ｒ12、Ｒ13及びＲ14は、水素原子、非置換であってもよいし置換されていてもよい直鎖状又は分岐鎖状のＣ1-36アルキル基、好ましくはＣ1-16アルキル基、直鎖状又は分岐鎖状のヒドロキシ−Ｃ1-36アルキル基、特にヒドロキシ−Ｃ1-8アルキル基、Ｃ6-24アリール基、特にＣ6-10アリール基又はＣ7-24アラルキル基、特にＣ7-12アラルキル基であるか、基Ｒ11、Ｒ12、Ｒ13及びＲ14の２個が、それらが結合する窒素原子とでいっしょになって、五又は六員の複素環式環、たとえばピロリジノ、ピペリジノ又はモルホリノを形成する）
又は
【化５】
2005509694.tif 000005
（式中、Ｒ67及びＲ68は、互いに独立して置換基であり、Ｒ65及びＲ66は、互いに独立して、置換又は非置換のアルキル基、置換又は非置換のアルケニル基、置換又は非置換のアルキニル基、置換又は非置換のアラルキル基、置換又は非置換のアリール基又は置換又は非置換の複素環式基であり、対Ｒ67とＲ68、Ｒ67とＲ65、Ｒ68とＲ66及びＲ65とＲ66が接続して環を形成することが可能であり、ｓ及びｔは、互いに独立して、０又は１〜４の整数であり、ただし、ｓ及びｔが２以上の値を有するとき、基Ｒ67及びＲ68は、同じであっても異なってもよい）
又は式
【化６】
2005509694.tif 000006
（式中、Ｒ69は、非置換であってもよいし、たとえばシアノ基、ハロゲン原子又はＣ1-4アルコキシ基によって置換されていてもよい直鎖状又は分岐鎖状のＣ1-8アルキル基、特にメチル、エチル、プロピル、ブチル又はtert−ブチルである）、
【化７】
2005509694.tif 000007
（式中、Ｒ201、Ｒ202及びＲ203は、互いに独立して、水素原子、非置換であってもよいし置換されていてもよい直鎖状又は分岐鎖状のＣ1-36アルキル基、好ましくはＣ1-16アルキル基、非置換であるか、１個以上のＣ1-4アルキル及び／又はＣ1-4アルコキシ基によって置換されているヒドロキシ−Ｃ1-36アルキル基、特にヒドロキシ−Ｃ1-8アルキル基、Ｃ3-24シクロアルキル基、特にＣ5-7シクロアルキル基、Ｃ6-24アリール基、特にＣ6-10アリール基又はＣ7-24アラルキル基、特にＣ7-12アラルキル基であるか、基Ｒ201、Ｒ202及びＲ203の２個が、それらが結合する窒素原子とでいっしょになって、五又は六員の複素環式環を形成し、Ｒ204は、水素原子、Ｃ1-4アルキル又はＣ1-4アルコキシ基であり、ｕ及びｖは、１〜３の整数であり、ｕとｖとの合計は、３、４又は５であり、
Ｘは、二価の接続基、たとえば、非置換であるか、１個以上のＣ1-4アルキル及び／又はＣ1-4アルコキシ基によって置換されているＣ1-8アルキレン基である）
又は基
【化８】
2005509694.tif 000008
（式中、Ｒ204は、先に定義したとおりであり、Ａｒは、非置換であるか、１個以上のＣ1-4アルキル及び／又はＣ1-4アルコキシ基によって置換されているＣ6-10アリール基であり、Ｃｙは、非置換であるか、１個以上のＣ1-4アルキル及び／又はＣ1-4アルコキシ基によって置換されているＣ5-7シクロアルキル基であり、ｔは、０〜４の整数である）
のカチオン
あるいは式
【化９】
2005509694.tif 000009
（式中、
Ｍｅは、Ｃｕ、Ｎｉ又はＣｏであり、
Ｒ51、Ｒ52、Ｒ53、Ｒ54、Ｒ61、Ｒ62、Ｒ63及びＲ64は、水素原子、塩素原子、臭素原子、ヒドロキシ基、非置換であってもよいし、ジ−又はトリ−アルキルアンモニウム基によって置換されていてもよいＣ1-8アルキル基、非置換であってもよいし、ジ−又はトリ−アルキルアンモニウム基によって置換されていてもよいＣ1-16アルコキシ基、−Ｏ−又は−Ｓ−によって１回以上中断されており、非置換であってもよいし、ジ−又はトリ−アルキルアンモニウム基によって置換されていてもよいＣ1-8アルキル基、エステル基、たとえばホスホン酸、リン酸及びカルボン酸エステル基、カルボキサミド基、スルファミド基又はジ−もしくはトリ−アルキルアンモニウム基であり、
Ｒ1及びＲ4は、互いに独立して、水素原子又はＣ1-8アルキル基であり、
Ｒ2、Ｒ2′、Ｒ3及びＲ3′は、水素原子、シアノ基又はＣ1-8アルキル基であるか、基の対Ｒ2とＲ2′、Ｒ3とＲ3′がいっしょになって、シクロヘキセン環を形成し、基Ｒ51、Ｒ52、Ｒ53、Ｒ54、Ｒ61、Ｒ62、Ｒ63及びＲ64の少なくとも１個が、ジ−又はトリ−アルキルアンモニウム基であるか、ジ−又はトリ−アルキルアンモニウム基によって置換されており、
Ｒ7、Ｒ7′、Ｒ8及びＲ8′は、互いに独立して、水素原子又は非置換であるか置換されているＣ1-8アルキル基、フェニル基又はベンジル基であるか、
Ｒ7とＲ7′とがいっしょになって及び／又はＲ8とＲ8′とがいっしょになって、各対が互いに独立して、カルボニル基又はチオカルボニル基を形成する）
の金属錯体から選択される、請求項５記載の組成物。
【請求項７】
基材及び少なくとも一つの記録層を含み、前記記録層が請求項１〜６のいずれか１項記載の組成物を含む光学記録媒体。
【請求項８】
光学記録媒体、カラーフィルタ（光学フィルタ）及び印刷インクの製造における、請求項１〜６のいずれか１項記載の組成物の使用。
【請求項９】
請求項１〜６のいずれか１項記載の組成物の非ハロゲン化溶媒中の溶液を、くぼみを有する基材に塗布する、光学記録媒体を製造する方法。
【請求項１０】
Ｍk+がカチオン染料である、請求項２記載の式（II−１）又は（II−２）のオキソノール染料。
【請求項１１】
前記有機溶媒がアルコールである、請求項９記載の方法。
【請求項１２】
光学情報の記憶における、請求項１０記載のオキソノール染料の使用。
【請求項１３】
Ｍｅ、Ｄ1及びＤ2、Ｒ5及びＲ6、Ｒ1及びＲ4が請求項１で定義したとおりであり、Ｒ2及びＲ3が二重結合を形成し、Ｒ2′及びＲ3′がシアノ基である式（Ｉ−１）の金属錯体の、光学情報の記憶における使用。
【請求項１４】
支持層及びフィルタ層を含み、前記フィルタ層が請求項１〜６のいずれか１項記載の本発明の組成物を含む光学フィルタ。
【請求項１５】
請求項１〜６のいずれか１項記載の本発明の組成物を含む印刷インク。
【請求項１６】
一般式：
【化５９】
2005509694.tif 000010
（式中、Ｍk+は、アンモニウムカチオンであり、ｋは、１〜４であり、
Ｒ41及びＲ41′は、互いに独立して、水素原子、Ｃ1-4アルキル基、ぺルフルオロ−Ｃ1-4アルキル基、ヒドロキシ−Ｃ1-4アルキル基又は−Ｏ−によって１回以上中断されているＣ1-8アルキル基、Ｃ6-10アリール基、Ｃ7-12アラルキル基であり、
Ｒ42及びＲ42′は、互いに独立して、水素原子、シアノ又はカルボキサミド基であり、
Ｒ43及びＲ43′は、互いに独立して、水素原子、カルボン酸基もしくはその塩又はＣ1-4アルキル基であり、
Ｒ44及びＲ44′は、互いに独立して、水素原子、Ｃ1-4アルキル基、Ｃ6-12アリール又はＣ7-12アラルキル基であるか、いっしょになって、五又は六員環、たとえばシクロヘキセニル又はシクロペンテニル環を形成し、
Ｒ45は、水素原子、ハロゲン原子、非置換であるか、Ｃ1-4アルキル又はＣ1-4アルコキシで置換されているＣ6-12アリール基又はＣ7-12アラルキル基である）
オキソノール染料。
【請求項１７】
Ｍk+が、Ｋ−１、Ｋ−２、Ｋ−３、Ｋ−４、Ｍ−１、Ｍ−２、Ｍ−３及びＭ−４：
【化６０】
2005509694.tif 000011
からなる群より選択される１種のアンモニウムカチオンであり、
ｋが１〜２の整数であり、
Ｒ41及びＲ41′は、互いに独立して、メチル、エチル、トリフルオロメチル、ＣＨ2ＣＨ2ＣＨ2−Ｏ−ＣＨ（ＣＨ3）2、フェニル及びベンジルからなる群より選択される１個の基である、請求項１６記載のオキサノール染料。
【請求項１８】
Ｍk+、Ｒ41及びＲ41′が、下記の定義
【表７】
2005509694.tif 000012
2005509694.tif 000013
を有する、請求項１６記載のオキサノール染料。